(57)【要約】【課題】溶接構造を用いることなく寸法精度および機械的強度を適切に確保できる盤装置用筐体を得る。【解決手段】床板本体６Ｈと、床板本体６Ｈに折り曲げ形成され床板本体６Ｈと平行に延在する上面部６Ｂと、側面板本体８Ｈと、側面板本体８Ｈに折り曲げ形成され側面板本体８Ｈと平行に延在する盤内面側側面部８Ｂとを備え、床板本体６Ｈと上面部６Ｂとの間に嵌合する第１の接続部７Ｘと側面板本体８Ｈと盤内面側側面部８Ｂとの間に嵌合する第２の接続部７Ｙとを有するコーナー接続具７を設け、このコーナー接続具７により床板本体６Ｈと側面板本体８Ｈとを連結する。【選択図】　　　　図１
2004088933.tif 000002
【特許請求の範囲】
【請求項１】
水平方向に延在する第１の板状部材と、前記第１の板状部材に折り曲げ形成され前記第１の板状部材と平行に延在する第１の接続用係合部と、垂直方向に延在し前記第１の板状部材とともに筐体を構成する第２の板状部材と、前記第２の板状部材に折り曲げ形成され前記第２の板状部材と平行に延在する接続用係合部とを備え、前記第１の板状部材と前記第１の接続用係合部との間に嵌合する第１の接続部と、前記第２の板状部材と前記第２の接続用係合部との間に嵌合する第２の接続部とを有するコーナー接続具を設け、このコーナー接続具により前記第１の板状部材と前記第２の板状部材とを連結することを特徴とする盤装置用筐体。
【請求項２】
水平方向に延在する第１の板状部材と、前記第１の板状部材に盤内面側へ折り曲げ形成され前記第１の板状部材と平行に延在する第１の接続用係合部と、垂直方向に延在し前記第１の板状部材とともに筐体を構成する第２の板状部材と、前記第２の板状部材に盤内面側へ折り曲げ形成され前記第２の板状部材と平行に延在する第２の接続用係合部とを備え、水平に延在し前記第１の板状部材と前記第１の接続用係合部との間に嵌合する断面コ字状をなす第１の接続部と、垂直に延在し前記第２の板状部材と前記第２の接続用係合部との間に嵌合する断面コ字状をなす第２の接続部とを有するコーナー接続具を設け、このコーナー接続具により前記第１の板状部材と前記第２の板状部材とを連結することを特徴とする盤装置用筐体。
【請求項３】
前記コーナー接続具に前記第１の接続部と前記第２の接続部との間に延在する延在係合部を設け、この延在係合部を前記第１の板状部材における第１の接続用係合部と前記第２の板状部材における第２の接続用係合部とに係合させたことを特徴とする請求項１または請求項２に記載の盤装置用筐体。
【請求項４】
前記コーナー接続具に前記第１の接続部と前記第２の接続部との間において垂直方向に延在する延在係合部を設け、この延在係合部を前記第１の板状部材における第１の接続用係合部に設けた係合溝と前記第２の板状部材における第２の接続用係合部に設けた係合溝とに嵌合させたことを特徴とする請求項１または請求項２に記載の盤装置用筐体。
【発明の詳細な説明】
【０００１】
【発明の属する技術分野】
この発明は、盤装置用筐体、特に、複数の電気機器を収納する閉鎖配電盤用筐体の構造に関するものである。
【０００２】
【従来の技術】
図５は、従来技術における溶接レス構造筐体コーナー部の構造を示す斜視図である。図５（ａ）は分解斜視図を示し、図５（ｂ）は組立後の斜視図を示している。
図において、床板１のＬ字状に折り曲げた側面部１Ａに内側に向かって加工したエンボス（Ｅｍｂｏｓｓ）１Ａａと、側面板２の外面部２Ａに同じく内側に向かって加工したエンボス２Ａａとを盤外面側から重ね合わせ、床板１と側面板２とを接続する。
次に、床板１のコ字状に折り曲げた前面上部右端の接続片１Ｂの取付穴１Ｂａと、側面板２の盤内面側にコの字状に折り曲げた内側向きの面２Ｂの取付穴２Ｂａとを用いて、床板１と側面板２とを接続する。
【０００３】
図６は、従来技術における幅広盤に使用されている溶接構造筐体コーナー部の構造を示す斜視図である。図６（ａ）は分解斜視図を示し、図６（ｂ）は組立後の斜視図を示している。
図において、床板溶接フレーム３と床板４と側面板５を、位置決めを兼ねたはめ込み用の凹凸でそれぞれ組合せ、溶接接続する。
【０００４】
【発明が解決しようとする課題】
このような従来のエンボスを使用した溶接レス構造筐体コーナー部では、吊上げや輸送時の振動が原因で、エンボス穴同士にずれが生じ、溶接レス構造筐体の幅方向の寸法が許容公差範囲を超えるという問題点があった。
【０００５】
また、この溶接レス構造筐体は、盤の機械的強度確保の観点から幅広盤には適用されておらず、組立作業においては溶接技能者の確保が必要であり、さらに大容量の構造物を溶接作業場，塗装作業場および組立作業場の間を搬送することになり、搬送効率や組立作業性が悪いという問題点もあった。
【０００６】
この発明は、溶接構造を用いることなく寸法精度および機械的強度を適切に確保できる盤装置用筐体を得ようとするものである。
【０００７】
【課題を解決するための手段】
第１の発明に係る盤装置用筐体では、水平方向に延在する第１の板状部材と、前記第１の板状部材に折り曲げ形成され前記第１の板状部材と平行に延在する第１の接続用係合部と、垂直方向に延在し前記第１の板状部材とともに筐体を構成する第２の板状部材と、前記第２の板状部材に折り曲げ形成され前記第２の板状部材と平行に延在する接続用係合部とを備え、前記第１の板状部材と前記第１の接続用係合部との間に嵌合する第１の接続部と、前記第２の板状部材と前記第２の接続用係合部との間に嵌合する第２の接続部とを有するコーナー接続具を設け、このコーナー接続具により前記第１の板状部材と前記第２の板状部材とを連結するものである。
【０００８】
第２の発明に係る盤装置用筐体では、水平方向に延在する第１の板状部材と、前記第１の板状部材に盤内面側へ折り曲げ形成され前記第１の板状部材と平行に延在する第１の接続用係合部と、垂直方向に延在し前記第１の板状部材とともに筐体を構成する第２の板状部材と、前記第２の板状部材に盤内面側へ折り曲げ形成され前記第２の板状部材と平行に延在する第２の接続用係合部とを備え、水平に延在し前記第１の板状部材と前記第１の接続用係合部との間に嵌合する断面コ字状をなす第１の接続部と、垂直に延在し前記第２の板状部材と前記第２の接続用係合部との間に嵌合する断面コ字状をなす第２の接続部とを有するコーナー接続具を設け、このコーナー接続具により前記第１の板状部材と前記第２の板状部材とを連結するものである。
【０００９】
第３の発明に係る盤装置用筐体では、第１または第２の発明において、前記コーナー接続具に前記第１の接続部と前記第２の接続部との間に延在する延在係合部を設け、この延在係合部を前記第１の板状部材における第１の接続用係合部と前記第２の板状部材における第２の接続用係合部とに係合させたものである。
【００１０】
第４の発明に係る盤装置用筐体では、第１または第２の発明において、前記コーナー接続具に前記第１の接続部と前記第２の接続部との間において垂直方向に延在する延在係合部を設け、この延在係合部を前記第１の板状部材における第１の接続用係合部に設けた係合溝と前記第２の板状部材における第２の接続用係合部に設けた係合溝とに嵌合させたものである。
【００１１】
【発明の実施の形態】
実施の形態１．
この発明による実施の形態１を図１および図２について説明する。図１は実施の形態１における構成を示す斜視図である。図１（ａ）は分解斜視図を示し、図１（ｂ）は組立後の斜視図を示している。図２は図１に示す筐体コーナー部分を盤内面側から見た拡大斜視図である。
【００１２】
図において、６は床板、６Ｈは床板本体、７はコーナー金具、８は側面板、８Ｈは側面板本体である。
【００１３】
床板本体６Ｈを主体とする床板６と側面板本体８Ｈを主体とする側面板８とをコーナー金具７を用いて図１（ａ）に示す要領で接続し、盤装置用筐体を組み立てる。
コーナー金具７には、床板６への取り付け状態で水平に延在する断面コ字状の水平接続部７Ｘと、側面板８への取り付け状態で垂直に延在する断面コ字状の垂直接続部７Ｙとが設けられている。
【００１４】
コーナー金具７により床板６と側面板８とを連結接続する場合には、まず、床板６のコ字状に折り曲げた前面部６Ａとその上面部６Ｂのそれぞれの取付穴６Ａａ，６Ｂａと、コーナー金具７の水平接続部７Ｘに設けられた前面部７Ａとその上面部７Ｂのそれぞれの取付穴７Ａａ，７Ｂａとを対向させ、盤内面側からコーナー金具７を床板６に重ね合わせて、接続する。
【００１５】
次に、側面板８の前面部８Ａとその盤内面側側面部８Ｂのそれぞれの取付穴８Ａａ，８Ｂａと、コーナー金具７の垂直接続部７Ｙに設けられた前面部７Ａとその盤内面側側面部７Ｃのそれぞれの取付穴７Ａｂ，７Ｃａとを対向させ、盤内面側からコーナー金具７を側面板８に重ね合わせて、接続する。
【００１６】
このようにして、床板本体６Ｈを主体とする床板６と、側面板本体８Ｈを主体とする側面板８とをコーナー金具７を用いて接続し、盤装置用筐体を組み立てる。
組立後の盤装置用筐体は図１（ｂ）に示す通りの構成となり、組立後の盤装置用筐体コーナー部分を盤内面側から見た構成は図２に示す通りとなる。
【００１７】
ここでは、床板６と側面板８とにより構成される筐体の右下手前のコーナー部分に形成される隅部にコーナー金具７を設けて床板６と側面板８と接続するものについて述べたが、コーナー金具７による床板６と側面板８との接続は、筐体の右下手前だけでなく、左下手前，右下奥および左下奥における、床板６の四隅において実施されるものである。
また、床板６と側面板８との接続だけではなく、床板６に対向する天井板（図示せず）と側面板８とを接続するため、筐体の右上手前，左上手前，右上奥および左上奥における、天井板の四隅においても実施される。
【００１８】
以上のように、この実施の形態１では、溶接レス構造筐体の接続にコーナー金具７を使用することにより、吊上げや輸送時の振動により発生する溶接レス構造筐体における幅方向寸法の許容公差範囲超過の原因であったエンボスを用いた側面からの接続を廃止でき、また、床板６とコーナー金具７、側面板８とコーナー金具７の接続はそれぞれ２平面以上で行っているので、寸法精度の確保と溶接レス構造筐体の機械的強度アップも可能となる。
【００１９】
よって、これまで溶接構造であった幅広盤においてもコーナー金具７を用いることにより、溶接構造と同等の機械的強度を有した溶接レス構造筐体が得られ、また、溶接作業が不要となるので溶接技能者確保の必要が無く、組立作業の簡易化、効率化とともに、低コスト化も図ることができる。
【００２０】
この発明による実施の形態１によれば、水平方向に延在する床板本体６Ｈまたは天井板（図示せず）からなる第１の板状部材と、前記床板本体６Ｈまたは天井板からなる第１の板状部材に盤内面側へ折り曲げ形成され前記床板本体６Ｈまたは天井板からなる第１の板状部材と平行に延在する上面部６Ｂからなる第１の接続用係合部と、垂直方向に延在し前記床板本体６Ｈまたは天井板からなる第１の板状部材とともに筐体を構成する側面板本体８Ｈからなる第２の板状部材と、前記側面板本体８Ｈからなる第２の板状部材に盤内面側へ折り曲げ形成され前記側面板本体８Ｈからなる第２の板状部材と平行に延在する盤内面側側面部８Ｂからなる第２の接続用係合部とを備え、水平に延在し前記床板本体６Ｈまたは天井板からなる第１の板状部材と前記上面部６Ｂからなる第１の接続用係合部との間に嵌合する断面コ字状をなす水平接続部７Ｘからなる第１の接続部と、垂直に延在し前記側面板本体８Ｈからなる第２の板状部材と前記盤内面側側面部８Ｂからなる第２の接続用係合部との間に嵌合する断面コ字状をなす垂直接続部７Ｙからなる第２の接続部とを有するコーナー接続具を設け、このコーナー接続具により前記床板本体６Ｈまたは天井板からなる第１の板状部材と前記側面板本体８Ｈからなる第２の板状部材とを連結接続するようにしたので、水平および垂直に延在する接続部を有する断面コ字状をなすコーナー接続具により水平に延在する第１の板状部材と垂直に延在する第２の板状部材とを接続し筐体を構成することによって、溶接構造を用いることなく寸法精度および機械的強度を適切に確保できる盤装置用筐体を得ることができる。
【００２１】
実施の形態２．
この発明による実施の形態２を図３および図４について説明する。図３は実施の形態２における構成を示す斜視図である。図３（ａ）は分解斜視図を示し、図３（ｂ）は組立後の斜視図を示している。図４は図３に示す筐体コーナー部分を盤内面側から見た拡大斜視図である。
【００２２】
図において、９は床板、９Ｈは床板本体、１０はコーナー金具、１１は側面板、１１Ｈは側面板本体である。
【００２３】
床板９と側面板１１をコーナー金具１０を用いて図３（ａ）に示す要領で接続し、盤装置用筐体を組み立てる。
コーナー金具１０には、床板９への取り付け状態で水平に延在する断面コ字状の水平接続部１０Ｘと、側面板１１への取り付け状態で垂直に延在する断面コ字状の垂直接続部１０Ｙとが設けられている。
そして、コーナー金具１０の水平接続部１０Ｘと垂直接続部１０Ｙとの間には、それらの連接基部において三角形状をなす領域を持つガセット（Ｇｕｓｓｅｔ）Ｇが垂直に延在し水平接続部１０Ｘおよび垂直接続部１０Ｙと一体に形成されている。
また、床板９の床板本体９Ｈに設けられた上面部９Ｂには、コーナー金具１０に設けたガセットＧに係合する係合溝９Ｇが設けられ、側面板１１の側面板本体１１Ｈに設けられた盤内面側側面部１１Ｂには、コーナー金具１０に設けたガセットＧに係合する係合溝１１Ｇが設けられている。
【００２４】
コーナー金具１０により床板９と側面板１１とを連結接続する場合には、まず、床板９のコ字状に折り曲げた前面部９Ａとその上面部９Ｂのそれぞれの取付穴９Ａａ，９Ｂａと、コーナー金具１０の前面部１０Ａとその上面部１０Ｂのそれぞれの取付穴１０Ａａ，１０Ｂａを対向させ、盤内面側からコーナー金具１０を床板９に重ね合わせ、接続する。
このとき、コーナー金具１０に設けられたガセットＧは床板９の上面部９Ｂに設けられた係合溝９Ｇに嵌合される。
【００２５】
次に、側面板１１の前面部１１Ａとその盤内面側側面部１１Ｂのそれぞれの取付穴１１Ａａ，１１Ｂａと、コーナー金具１０の前面部１０Ａとその盤内面側側面部１０Ｃのそれぞれの取付穴１０Ａｂ，１０Ｃａを対向させ、盤内面側からコーナー金具１０を側面板１１に重ね合わせ、接続する。
このとき、コーナー金具１０に設けられたガセットＧは側面板１１の盤内面側側面部１１Ｂに設けられた係合溝１１Ｇに嵌合される。
【００２６】
このようにして、床板本体９Ｈを主体とする床板９と、側面板本体１１Ｈを主体とする側面板１１とを、コーナー金具１０を用いて接続し、盤装置用筐体を組み立てる。
組立後の盤装置用筐体は図３（ｂ）に示す通りの構成となり、組立後の盤装置用筐体コーナー部分を盤内面側から見た構成は図４に示す通りとなる。
【００２７】
ここでは、床板９と側面板１１とにより構成される筐体の右下手前のコーナー部分に形成される隅部にコーナー金具１０を設けて床板９と側面板１１と接続するものについて述べたが、コーナー金具１０による床板９と側面板１１との接続は、筐体の右下手前だけでなく、左下手前，右下奥および左下奥における、床板９の四隅において実施されるものである。
また、床板９と側面板１１との接続だけではなく、床板９に対向する天井板（図示せず）と側面板１１とを接続するため、筐体の右上手前，左上手前，右上奥および左上奥における、天井板の四隅においても実施される。
【００２８】
以上のように、この実施の形態２では、実施の形態１におけるコーナー金具としてガセットＧ付きのコーナー金具１０を使用することにより、コーナー金具自体の機械的強度アップを図り、さらには溶接レス構造筐体の機械的強度アップが可能となる。
【００２９】
この発明による実施の形態２によれば、実施の形態１における構成において、前記コーナー金具１０からなるコーナー接続具に前記水平接続部１０Ｘからなる第１の接続部と前記垂直接続部１０Ｙからなる第２の接続部との間において垂直方向に延在するガセットＧからなる延在係合部を一体に設け、このガセットＧからなる延在係合部を前記床板本体９Ｈからなる第１の板状部材における上面部９Ｂからなる第１の接続用係合部に設けた係合溝９Ｇと前記側面板本体１１Ｈからなる第２の板状部材における盤内面側側面部１１Ｂからなる第２の接続用係合部に設けた係合溝１１Ｇとに嵌合させたので、溶接構造を用いることなく寸法精度および機械的強度を適切に確保できるとともに、第１および第２の板状部材に設けた第１および第２の接続用係合部の係合溝に係合するコーナー接続具の延在係合部によりコーナー接続具自体の機械的強度および筐体の機械的強度を向上できる盤装置用筐体を得ることができる。
【００３０】
【発明の効果】
第１の発明によれば、第１および第２の接続部を有するコーナー接続具により水平に延在する第１の板状部材と垂直に延在する第２の板状部材とを連結し筐体を構成することによって、溶接構造を用いることなく寸法精度および機械的強度を適切に確保できる盤装置用筐体を得ることができる。
【００３１】
第２の発明によれば、水平および垂直に延在する接続部を有する断面コ字状をなすコーナー接続具により水平に延在する第１の板状部材と垂直に延在する第２の板状部材とを連結し筐体を構成することによって、溶接構造を用いることなく寸法精度および機械的強度を適切に確保できる盤装置用筐体を得ることができる。
【００３２】
第３の発明によれば、溶接構造を用いることなく寸法精度および機械的強度を適切に確保できるとともに、第１および第２の板状部材に設けた第１および第２の接続用係合部に係合するコーナー接続具の延在係合部によりコーナー接続具自体の機械的強度および筐体の機械的強度を向上できる盤装置用筐体を得ることができる。
【００３３】
第４の発明によれば、溶接構造を用いることなく寸法精度および機械的強度を適切に確保できるとともに、第１および第２の板状部材に設けた第１および第２の接続用係合部の係合溝に係合するコーナー接続具の垂直方向に延在する延在係合部によりコーナー接続具自体の機械的強度および筐体の機械的強度を向上できる盤装置用筐体を得ることができる。
【図面の簡単な説明】
【図１】この発明による実施の形態１における全体構成を示す斜視図である。
【図２】図１に示す実施の形態１における筐体コーナー部分を盤内面側から見た拡大斜視図である。
【図３】この発明による実施の形態２における全体構成を示す斜視図である。
【図４】図３に示す実施の形態２における筐体コーナー部分を盤内面側から見た拡大斜視図である。
【図５】従来技術における溶接レス構造筐体コーナー部分の構造を示す斜視図である。
【図６】従来技術における幅広盤に使用されている溶接構造筐体コーナー部分の構造を示す斜視図である。
【符号の説明】
１　床板、２　側面板、３　床板溶接フレーム、４　床板、５　側面板、６　床板、６Ｈ　床板本体、７　コーナー金具からなるコーナー接続具、７Ｘ　水平接続部、７Ｙ　垂直接続部、８　側面板、８Ｈ　側面板本体、９　床板、９Ｈ　床板本体、１０　コーナー金具からなるコーナー接続具、１０Ｘ　水平接続部、１０Ｙ　垂直接続部、１１　側面板、１１Ｈ　側面板本体、Ｇ　ガセットからなる延在係合部。
【図１】
2004088933.tif 000003
【図２】
2004088933.tif 000004
【図３】
2004088933.tif 000005
【図４】
2004088933.tif 000006
【図５】
2004088933.tif 000007
【図６】
2004088933.tif 000008